【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
光学系による像を撮像する撮像素子であって、
光を光電変換して電荷を生成する光電変換部と、
前記光電変換部を透過した光を前記光電変換部へ反射する反射部と、を有する複数の画素を備え、
前記複数の画素がそれぞれ有する反射部の面積は、前記撮像素子上の位置によって異なる撮像素子。
【請求項２】
請求項１に記載の撮像素子において、
前記複数の画素がそれぞれ有する反射部の面積は、前記撮像素子上において、前記光学系の光軸からの距離によって異なる撮像素子。
【請求項３】
請求項１または２に記載の撮像素子において、
前記複数の画素がそれぞれ有する反射部の面積は、光が入射する方向と交差する面において異なる撮像素子。
【請求項４】
請求項１から３のいずれか一項に記載の撮像素子において、
前記複数の画素がそれぞれ有する反射部の幅は、光が入射する方向と交差する方向において異なる撮像素子。
【請求項５】
請求項４に記載の撮像素子において、
前記複数の画素がそれぞれ有する反射部の幅は、前記撮像素子上の位置によって異なる撮像素子。
【請求項６】
請求項１から５までのいずれか一項に記載の撮像素子において、
前記複数の画素がそれぞれ有する反射部は、光が入射する方向と交差する面において前記光電変換部に対する位置が異なる撮像素子。
【請求項７】
請求項１から５までのいずれか一項に記載の撮像素子において、
前記複数の画素はそれぞれマイクロレンズを有し、
前記複数の画素がそれぞれ有する反射部は、光が入射する方向と交差する面において前記マイクロレンズの光軸に対する位置が異なる撮像素子。
【請求項８】
請求項１から５までのいずれか一項に記載の撮像素子において、
前記複数の画素はそれぞれマイクロレンズを有し、
前記複数の画素がそれぞれ有する反射部は、光が入射する方向と交差する面において前記マイクロレンズの光軸からの距離が異なる撮像素子。
【請求項９】
請求項１から８までのいずれか一項に記載の撮像素子において、
前記複数の画素は、第１画素と第２画素とを有し、
前記第１画素は、光を光電変換して電荷を生成する第１光電変換部と、第１面積を有し、前記第１光電変換部を透過した光を前記第１光電変換部へ反射する第１反射部と、を有し、
前記第２画素は、光を光電変換して電荷を生成する第２光電変換部と、前記第１面積と異なる第２面積を有し、前記第２光電変換部を透過した光を前記第２光電変換部へ反射する第２反射部と、を有する撮像素子。
【請求項１０】
請求項９に記載の撮像素子において、
前記第１反射部は、光が入射する方向と交差する面において前記第１面積を有し、
前記第２反射部は、光が入射する方向と交差する面において前記第１面積を有する撮像素子。
【請求項１１】
請求項９または１０に記載の撮像素子において、
前記撮像素子上の位置によって、前記第１面積と前記第２面積とが異なる撮像素子。
【請求項１２】
請求項９から１１までのいずれか一項に記載の撮像素子において、
前記撮像素子の中央の第１画素の前記第１面積と前記第２画素の前記第２面積との差は、前記撮像素子の端の第１画素の前記第１面積と前記第２画素の前記第２面積との差よりも小さい撮像素子。
【請求項１３】
請求項９から１２までのいずれか一項に記載の撮像素子において、
前記第１画素は第１マイクロレンズを有し、
前記第２画素は第２マイクロレンズを有し、
前記第１反射部は、前記第１マイクロレンズの光軸に対して第１角度で光を前記第１光電変換部へ反射する面積を有し、
前記第２反射部は、前記第２マイクロレンズの光軸に対して前記第１角度とは異なる第２角度で光を前記第２光電変換部へ反射する面積を有する撮像素子。
【請求項１４】
請求項１から８までのいずれか一項に記載の撮像素子において、
前記複数の画素は、第１画素と第２画素とを有し、
前記第１画素は、光を光電変換して電荷を生成する第１光電変換部と、光が入射する方向と交差する方向において第１幅で設けられ、前記第１光電変換部を透過した光を前記第１光電変換部へ反射する第１反射部と、を有し、
前記第２画素は、光を光電変換して電荷を生成する第２光電変換部と、光が入射する方向と交差する方向において前記第１幅とは異なる第２幅で設けられ、前記第２光電変換部を透過した光を前記第２光電変換部へ反射する第２反射部と、を有する撮像素子。
【請求項１５】
請求項１４に記載の撮像素子において、
前記第１画素は第１マイクロレンズを有し、
前記第２画素は第２マイクロレンズを有し、
前記第１反射部は、前記第１マイクロレンズの光軸に対して第１角度で光を前記第１光電変換部へ反射する幅で設けられ、
前記第２反射部は、前記第２マイクロレンズの光軸に対して前記第１角度とは異なる第２角度で光を前記第２光電変換部へ反射する幅で設けられる撮像素子。
【請求項１６】
請求項９から１１までのいずれか一項に記載の撮像素子において、
前記第１画素は第１マイクロレンズを有し、
前記第２画素は第２マイクロレンズを有し、
前記第１マイクロレンズの光軸と前記第１反射部との距離は、前記第２マイクロレンズの光軸と前記第２反射部との距離と異なる撮像素子。
【請求項１７】
請求項９から１１までのいずれか一項に記載の撮像素子において、
前記第１画素は第１マイクロレンズを有し、
前記第２画素は第２マイクロレンズを有し、
前記第１マイクロレンズの光軸と前記第１反射部との距離は、前記第２マイクロレンズの光軸と前記第２反射部との距離と同じ撮像素子。
【請求項１８】
請求項９から１７までのいずれか一項に記載の撮像素子において、
前記第１光電変換部の中心と前記第１反射部との距離は、前記第２光電変換部の中心と前記第２反射部との距離と異なる撮像素子。
【請求項１９】
請求項９から１７までのいずれか一項に記載の撮像素子において、
前記第１光電変換部の中心と前記第１反射部との距離は、前記第２光電変換部の中心と前記第２反射部との距離と同じ撮像素子。
【請求項２０】
請求項１から１９までのいずれか一項に記載の撮像素子と、
前記光電変換部で生成された電荷に基づく信号に基づいて、前記光学系による像が前記撮像素子に合焦する合焦位置を検出する検出部と、を備える焦点検出装置。
【手続補正２】
【補正対象書類名】明細書
【補正対象項目名】発明の名称
【補正方法】変更
【補正の内容】
【発明の名称】撮像素子および焦点検出装置
【手続補正３】
【補正対象書類名】明細書
【補正対象項目名】０００１
【補正方法】変更
【補正の内容】
【０００１】
本発明は、撮像素子および焦点検出装置に関する。
【手続補正４】
【補正対象書類名】明細書
【補正対象項目名】０００４
【補正方法】変更
【補正の内容】
【０００４】
本発明の第１の態様による撮像素子は、光学系による像を撮像する撮像素子であって、光を光電変換して電荷を生成する光電変換部と、前記光電変換部を透過した光を前記光電変換部へ反射する反射部と、を有する複数の画素を備え、前記複数の画素がそれぞれ有する反射部の面積は、前記撮像素子上の位置によって異なる。
本発明の第２の態様による焦点検出装置は、第１の態様による撮像素子と、前記光電変換部で生成された電荷に基づく信号に基づいて、前記光学系による像が前記撮像素子に合焦する合焦位置を検出する検出部と、を備える。